(57)【特許請求の範囲】
【請求項１】
室内障子の縦框に固定される函体状の取付けベースと、この取付けベースに対してクレセント軸を介して回動自在に取り付けられたクレセントと、前記クレセント軸に一体的に連設された操作レバーとを含んで構成されるとともに、施錠状態時に前記クレセントの回動を阻止するサブロック機構が設けられたクレセント錠において、
前記サブロック機構は、前記取付けベースの室内側の面に、鍵穴を有する一方側端面を臨ませて配設されるとともに、定位置で軸芯周りに回転自在に保持され、かつ他方側端面の偏心位置に係合突部を有する回転錠部材と、延在するＬ字片部に前記回転錠部材の係合突部が係合される水平方向の長孔を有し、サブロック時における前記回転錠部材の回動操作により前記係合突部を介してスライド動作され、前記クレセントの回動を阻止する位置に定位するストッパー部を有する施錠サブロック片とを備えることを特徴とするクレセント錠。
【請求項２】
前記施錠サブロック片の外面側に１または複数の突部を形成し、施錠サブロック片を跨いで外面側に横架される止め板に前記突部が係合するとともに、施錠サブロック片のスライド方向の長孔を形成し、施錠サブロック片のスライドをガイドするとともに、スライド距離を規制するようにしてある請求項１記載のクレセント錠。
【発明の詳細な説明】
【０００１】
【発明の属する技術分野】
本発明は、引き違い障子などの施錠装置として用いられるサブロック機構付きクレセント錠に関する。
【０００２】
【従来の技術】
従来より、引き違い窓等のサッシ用施錠装置としてクレセント錠が知られている。このクレセント錠は、図７に示されるように、室内障子の縦框（召合せ框）に取り付けられる取付けベース５０と、この取付けベース５０に対してクレセント軸５１を介して回動自在に取り付けられたクレセント５２とからなるもので、このクレセント５２に一体的に連結された操作レバー５３を掴み、ほぼ１８０°の範囲で回動させることにより、クレセント５２を室外側障子に取り付けられた係止金具（図示せず）に対して係脱させるようにした引き違い障子等のための施錠装置である。
【０００３】
近年、この種のクレセント錠においても、同図に示されるように、防犯等の配慮から施錠状態において、クレセント５２の回動を阻止する上下動可能なストッパー片５４を設けたサブロック機構が採用されている。
【０００４】
【発明が解決しようとする課題】
しかしながら、前記クレセント錠においては、前記ストッパー片５４の一部（操作部）を取付けベース５０の外部に臨ませた単純な構造であるため、侵入者側からすれば、窓ガラスに腕が侵入できるだけの穴を空け、そこから腕を挿入し、前記操作部を上方向に移動させた後、操作レバーを１８０°回動させれば良いだけで、実質的には防犯効果は無いに等しい。
【０００５】
そこで本発明の主たる課題は、侵入者に対して効果的に防犯機能を発揮するとともに、室内側からサブロックの施・解錠操作が容易に行えるようにしたクレセント錠を提供することにある。
【０００６】
【課題を解決するための手段】
前記課題を解決するために請求項１に係る本発明として、室内障子の縦框に固定される函体状の取付けベースと、この取付けベースに対してクレセント軸を介して回動自在に取り付けられたクレセントと、前記クレセント軸に一体的に連設された操作レバーとを含んで構成されるとともに、施錠状態時に前記クレセントの回動を阻止するサブロック機構が設けられたクレセント錠において、
前記サブロック機構は、前記取付けベースの室内側の面に、鍵穴を有する一方側端面を臨ませて配設されるとともに、定位置で軸芯周りに回転自在に保持され、かつ他方側端面の偏心位置に係合突部を有する回転錠部材と、延在するＬ字片部に前記回転錠部材の係合突部が係合される水平方向の長孔を有し、サブロック時における前記回転錠部材の回動操作により前記係合突部を介してスライド動作され、前記クレセントの回動を阻止する位置に定位するストッパー部を有する施錠サブロック片とを備えることを特徴とするクレセント錠が提供される。
【０００７】
先ず、請求項１に係る本発明では、回転錠部材の鍵穴面を室内面側に臨ませて配設している。したがって、窓ガラスの室外側からはサブロック機構の存在が気付かれることが無いとともに、鍵穴形状も不明であるため、鍵穴に合う鍵またはそれに代わる代用品を鍵穴にうまく挿入することが出来ないため、侵入者に対して効果的に防犯機能を発揮することが可能となる。しかも、前記回転錠部材の鍵穴が室内側に面しているため、居住者がサブロックの施・解錠を行う際にも正面側から容易に操作することが可能となる。
【０００８】
請求項２に係る本発明として、前記施錠サブロック片の外面側に１または複数の突部を形成し、施錠サブロック片を跨いで外面側に横架される止め板に前記突部が係合するとともに、施錠サブロック片のスライド方向の長孔を形成し、施錠サブロック片のスライドをガイドするとともに、スライド距離を規制するようにしてある請求項１記載のクレセント錠が提供される。
【００１０】
【発明の実施の形態】
以下、本発明の実施の形態について図面を参照しながら詳述する。
図１は本発明に係るクレセント錠１のサブロック解錠状態を示す図であり、図２はサブロック施錠状態を示す図である。
【００１１】
先ず、クレセント錠１は、室内障子の縦框（召合せ框）にビス等で取り付けられるとともに、底面が開口する函体状の取付けベース２と、この取付けベース２に対してクレセント軸３を介して回動自在に取り付けられたクレセント４と、前記クレセント軸３に一体的に連設された操作レバー５とから主に構成されるもので、前記操作レバー５を掴み、クレセント４をほぼ１８０°の範囲で回動させることにより、クレセント４の周囲に形成された、壁高を漸次テーパー状に変化させた環状周壁が室外側障子の縦框に取り付けられた係止金具（図示せず）に係脱し障子の施錠および解錠を成すようになっている。なお、符号６は、取付けベース２に設けられた掛止凸部２ａとクレセント４とを連結しているスプリングであり、クレセント４の回動時に操作レバー５が水平の状態から施錠位置および解錠位置（夫々、操作レバー５は鉛直配向）に対して付勢させるためのものである。
また、前記取付けベース２の上下部に夫々設けられた長孔２ｂ、２ｂがクレセント錠１を室内障子に固定するためのビス穴である。
かかるクレセント錠１には、施錠状態からクレセント４の回動を阻止する回転錠タイプのサブロック機構が設けられている。
【００１２】
前記サブロック機構は、前記取付けベース２に嵌設される外筒８と、この外筒８内部にほぼ同軸的に嵌設され、軸芯周りに回転自在に保持されるとともに、差し込んだ鍵によって回動操作される回転錠部材７と、この回転錠部材７の先端面に形成された係合突部が係合し、回転錠部材７の回動操作によって取付けベース２の長手方向に沿って移動動作する施錠サブロック片９と、この施錠サブロック片９を跨いで外面側に横架され、前記外筒８、回転錠部材７および施錠サブロック片９を取付けベース２内に保持するとともに、前記施錠サブロック片９のスライドをガイドし、かつスライド距離を規制するための止め板１０とから構成されている。
【００１３】
以下、さらに詳述すると、
前記外筒８は、詳細には図４に示されるように、内部に略円状の貫通孔８ａが形成された部材で、周囲には取付けベース２に抜け出ないように嵌設するために、周方向に沿って環状凸部８ｂが設けられている。また、前記貫通孔８ａの両端部にはそれぞれ環状に段部８ｃ、８ｄが形成されている。
【００１４】
次いで、前記回転錠部材７は、詳細には図５に示されるように、略円筒形状の部材で、一方側端面（以下、露出側端面という。）には鍵を差し込むための鍵穴７ｂが形成されている。また、露出側端面の周囲には環状に鍔部７ａが形成されているとともに、外面中間部には抜脱防止用突部７ｃが形成され、さらに他方側端面の偏心位置には係合突部７ｄが形成されている。前記外筒８とは、図３に示されるように、外筒８の段部８ｃに対して前記鍔部７ａを係合させ、外筒８の段部８ｄに前記抜脱防止用突部７ｃを係合させた状態で嵌設され、抜け出ないように保持されたまま定位置で、軸芯周りに回転自在となっている。
【００１５】
前記施錠サブロック片９は、詳細には図６に示されるように、上部側に前記回転錠部材７の係合突部７ｄが係合される水平方向の長孔１２ａを有するＬ字片部１２と、クレセント４の回動を阻止するストッパー部１３とが連結板１４によって一体的に連結された構造の部材で、前記連結板１４の外面には上下部にそれぞれ突部１４ａ、１４ｂが形成されている。
【００１６】
組込みは、図３に示されるように、前記外筒８の内部に回転錠部材７を嵌入設置するとともに、前記回転錠部材７の係合突部７ｄを前記施錠サブロック片９の長孔１２ａに係合した状態とし、この状態のまま前記取付けベース２の室内側面に形成されたＵ字状切り欠きに対して前記外筒８を嵌入するように設置する。次いで、前記施錠サブロック片９の外面に形成された突部１４ａ、１４ｂを止め板１０に形成された部材長手方向のスライドガイド長孔１０ａ、１０ｂに係合させた状態でビス等によって前記止め板１０を取付けベース２に固定する。
【００１７】
クレセント錠１により障子を施錠した後、取付けベース２の室内側面に露出側端面を臨ませた回転錠部材７の鍵穴７ｂに鍵１１を差し込んで、時計方向に回して回転錠部材７を軸芯周りに回転させると、回転錠部材７の先端面にかつ軸芯から偏心させた位置に設けられた係合突部７ｄは軸芯を中心とする円軌跡に沿って回動し、この係合突部７ｄと係合している施錠サブロック片９が下方向に移動され、図２に示される状態となる。その結果、操作レバー５を回してクレセント錠１による施錠を解除しようとしても、クレセント４は前記施錠サブロック片９のストッパー部１３に当接し回動が阻止される。
【００１８】
【発明の効果】
以上詳説のとおり本発明に係るクレセント錠によれば、室外側からサブロック機構の存在が気付かれることが無いとともに、鍵穴形状も不明となるため、侵入者に対して効果的に防犯機能を発揮するようになるとともに、前記回転錠部材の鍵穴が室内側に面しているため、居住者は室内側からサブロックの施・解錠操作が容易に行えるようになる。
【図面の簡単な説明】
【図１】本発明に係るクレセント錠１のサブロック解錠状態を示す、(A)は室内側からの視図、(B)は縦框取付け面側からの視図である。
【図２】本発明に係るクレセント錠１のサブロック施錠状態を示す、(A)は室内側からの視図、(B)は縦框取付け面側からの視図である。
【図３】サブロック機構の分解図（一部組立て図）である。
【図４】外筒８を示す、(A)は正面図、(B)は側面図である。
【図５】回転錠部材７を示す、(A)は正面図、(B)は側面図である。
【図６】施錠サブロック片９を示す、(A)は側面図、(B)は正面図である。
【図７】従来のクレセント錠を示す、(A)は縦框取付け面側からの視図、(B)は室外側からの視図である。
【符号の説明】
１…クレセント錠、２…取付けベース、３…クレセント軸、４…クレセント、５…操作レバー、６…スプリング、７…回転錠部材、７ｂ…鍵穴、７ｃ…係合突部、８…外筒、９…施錠サブロック片、１０…止め板、１０ａ・１０ｂ…スライドガイド長孔、１２…Ｌ字片部、１２ａ…長孔、１３…ストッパー部
【図１】
0004625594.tif 000002
【図２】
0004625594.tif 000003
【図３】
0004625594.tif 000004
【図４】
0004625594.tif 000005
【図５】
0004625594.tif 000006
【図６】
0004625594.tif 000007
【図７】
0004625594.tif 000008